(57)【特許請求の範囲】
【請求項１】
第１及び第２のアンテナ部と、
該第１及び第２のアンテナ部のいずれかを通じた搬送情報信号を選択受信するとともに、選択受信された搬送情報信号に所定の信号処理を施して第１の再生情報信号を得る第１の信号再生系と、
該第１及び第２のアンテナ部のいずれかを通じた搬送情報信号を選択受信するとともに、選択受信された搬送情報信号に所定の信号処理を施して第２の再生情報信号を得る第２の信号再生系と、
上記第１の信号再生系により選択受信される搬送情報信号と上記第２の信号再生系により選択受信される搬送情報信号とが異なるとき、上記第１のアンテナ部が上記第１の信号再生系に接続されるとともに上記第２のアンテナ部が上記第２の信号再生系に接続されて、上記第１及び第２の信号再生系から夫々得られる第１及び第２の再生情報信号に基づく情報再生が個別に行われる第１の状態、もしくは、上記第１のアンテナ部が上記第２の信号再生系に接続されるとともに上記第２のアンテナ部が上記第１の信号再生系に接続されて、上記第１及び第２の信号再生系から夫々得られる第１及び第２の再生情報信号に基づく情報再生が個別に行われる第２の状態となし、また、上記第１の信号再生系により選択受信される搬送情報信号と上記第２の信号再生系により選択受信される搬送情報信号とが同じであるとき、上記第１のアンテナ部が上記第１及び第２の信号再生系の両者に接続されて、上記第１及び第２の信号再生系から夫々得られる第１及び第２の再生情報信号に基づく情報再生が個別に行われる第３の状態、もしくは、上記第２のアンテナ部が上記第１及び第２の信号再生系の両者に接続されて、上記第１及び第２の信号再生系から夫々得られる第１及び第２の再生情報信号に基づく情報再生が個別に行われる第４の状態となすとともに、上記第１及び第２の状態のうちの一方から他方への切換制御、あるいは、上記第３及び第４の状態のうちの一方から他方への切換制御を、上記第１の信号再生系もしくは第２の信号再生系により選択受信された搬送情報信号が所定のレベル変化を生じたとき行うアンテナ切換制御部と、
を備えて構成される情報信号受信装置。
【請求項２】
上記第１の信号再生系もしくは第２の信号再生系において選択受信された搬送情報信号における所定のレベル低下を検出して検出出力信号を発生し、該検出出力信号を上記アンテナ切換制御部に供給するレベル変化検出部が設けられたことを特徴とする請求項１記載の情報信号受信装置。
【請求項３】
上記アンテナ切換制御部が、上記第１及び第２のアンテナ部を選択的に上記第１の信号再生系に接続する第１の選択スイッチと、上記第１及び第２のアンテナ部を選択的に上記第２の信号再生系に接続する第２の選択スイッチと、上記第１及び第２の選択スイッチの夫々に対する制御信号を供給し、該制御信号を上記第１の信号再生系もしくは第２の信号再生系における搬送情報信号の受信状態に応じて変化させる制御信号形成部とを備えて構成されることを特徴とする請求項１または２記載の情報信号受信装置。
【請求項４】
上記第１の信号再生系により選択受信されるべき搬送情報信号の選定、及び、上記第２の信号再生系により選択受信されるべき搬送情報信号の選定を、独立して行うことができる情報信号選択制御手段が設けられたことを特徴とする請求項１〜３のいずれかに記載の情報信号受信装置。
【請求項５】
上記第１のアンテナ部もしくは第２のアンテナ部を通じて第１の信号再生系もしくは第２の信号再生系により選択受信される搬送情報信号が、周波数変調多重信号とされることを特徴とする請求項１〜４のいずれかに記載の情報信号受信装置。
【発明の詳細な説明】
【０００１】
【発明の属する技術分野】
本発明は、複数のアンテナ部が設けられ、それらのうちの選択されたものを通じた搬送情報信号を選択受信する、所謂、空間ダイバーシティ方式の受信動作を行うことができ、選択受信された搬送情報信号に周波数変換処理，復調処理等の信号処理を施して再生情報信号を得る情報信号受信装置に関する。
【０００２】
【従来の技術】
所定の周波数を有した搬送波信号に音声信号を変調信号としての周波数変調（ＦＭ）が施されることにより形成される搬送情報信号であるＦＭ放送信号の送受信が行われるＦＭ放送システムの分野において、ＦＭ放送信号が、搬送波信号に、音声信号のみによるのではなく、音声信号と他の情報信号とを含む複合変調信号によるＦＭが施されて得られたＦＭ多重放送信号とされるシステムが実用に供されている。斯かるシステムのもとでのＦＭ多重放送信号の形成にあたっては、複合変調信号に含まれる音声信号以外の情報信号が、例えば、所定の周波数を有した副搬送波信号に関してディジタルデータによる移相変調（フェイズ・シフト・キーイング：ＰＳＫ変調）が施されて得られる、副搬送ディジタル信号とされる。
【０００３】
ＦＭ放送システムのもとでの受信側においては、１個のアンテナ部とチューナ部とを備え、動作時においては、常時、その１個のアンテナ部を通じたＦＭ放送信号をチューナ部によって選択受信するものとされる受信装置の他に、複数のアンテナ部を備えていて、ＦＭ放送信号についての、所謂、空間ダイバーシティ方式の受信動作を行う受信装置（ダイバーシティ受信装置）が提案されている。ダイバーシティ受信装置は、例えば、特開平5-206902号公報にも開示されている如く、複数個、例えば、２個のアンテナ部及びチューナ部を備えていて、特定の放送局から送信されたＦＭ放送信号を、２個のアンテナ部のうちの一方を通じてチューナ部により受信される動作状態と、２個のアンテナ部のうちの他方を通じてチューナ部により受信される動作状態とをとり、それらの二つの動作状態を、各々におけるＦＭ放送信号の受信状況に応じて適宜選択することができるものとされる。
【０００４】
このようなダイバーシティ受信装置にあっては、例えば、２個のアンテナ部のうちの一方を通じてチューナ部から導出される受信されたＦＭ放送信号と他方から導出される受信されたＦＭ放送信号とのうちの、良好な受信状態のもとで得られる方を選択して、周波数復調処理及びその他の各種の信号処理に供し、その結果、常時良質な再生音声信号が得られるようになすことが可能とされる。
【０００５】
こうしたＦＭ放送システムが実用化されているもとで、車両が路上を走行するに際してその車両を支援する路上走行支援システムの一つとして、道路渋滞情報等の道路交通情報を、ＦＭ多重放送信号の形成に際しての複合変調信号に含まれる副搬送ディジタル信号の内容とし、それによって得られるＦＭ多重放送信号の送受信を行うものが提案されている。即ち、斯かる路上走行支援システムにあっては、所定の放送局から、音声信号と副搬送波信号に関して道路交通情報をあらわすディジタルデータによるＰＳＫ変調が施されて得られた副搬送ディジタル信号とを含んだ複合変調信号をもって所定の搬送波信号にＦＭが施されることにより形成されたＦＭ多重放送信号が送出され、そのＦＭ多重放送信号が、車両に備えられたＦＭ信号受信装置により受信されるとともに道路交通情報をあらわすディジタルデータが再生され、車両の乗員が、例えば、再生されたディジタルデータに基づいて文字表示される道路交通情報を得ることができるようにされる。
【０００６】
【発明が解決しようとする課題】
上述の如くの路上走行支援システムのもとで、所定の放送局からの音声情報と道路交通情報とを含んだＦＭ多重放送信号が車両に備えられたＦＭ信号受信装置により受信される状態がとられる場合、車両における乗員による、受信された所定の放送局からのＦＭ多重放送信号に基づいて得られる道路交通情報に加えて、他の放送局からのＦＭ放送信号あるいはＦＭ多重放送信号に基づく、例えば、音楽、ニュース等の音声情報をも得たいとする要求がある。この要求は、車両における乗員となる多くの者が持つものとなっている。
【０００７】
しかしながら、斯かる要求が満たされるためには、車両に備えられたＦＭ信号受信装置が、本来備えられているアンテナ部及びチューナ部に加えて、さらに、少なくとも１組のアンテナ部及びチューナ部の組が備えられることが必要とされることになる。たとえ、車両に備えられたＦＭ信号受信装置が、前述のダイバーシティ受信装置であって、２個のアンテナ部及びチューナ部を備えていて、特定の放送局から送信されたＦＭ放送信号を、２個のアンテナ部のうちの一方を通じてチューナ部により受信される動作状態と、２個のアンテナ部のうちの他方を通じてチューナ部により受信される動作状態とを選択的にとることができるものであるとしても、それらの２個のアンテナ部は、いずれもが一つの放送局から送信されたＦＭ放送信号の受信に供されるものであるので、所定の放送局からの道路交通情報を含んだＦＭ多重放送信号を受信し、それに加えて、他の放送局からのＦＭ放送信号あるいはＦＭ多重放送信号を受信するためには、さらに、少なくとも１組のアンテナ部及びチューナ部の組が必要とされることになる。
【０００８】
従って、所定の放送局からのＦＭ多重放送信号に基づいて得られる道路交通情報に加えて、他の放送局からのＦＭ放送信号あるいはＦＭ多重放送信号に基づく音声情報をも得たいとする要求を満たすためには、車両に備えられたＦＭ信号受信装置の大掛りな改修が必要とされて、大なる工数と費用とが要されることになってしまう。
【０００９】
なお、所定の放送局からのＦＭ多重放送信号に基づいて得られる道路交通情報に加えて、他の放送局からのＦＭ放送信号あるいはＦＭ多重放送信号に基づく音声情報をも得られるようにするにあたり、２個のチューナ部を設けるとともに両チューナ部に共通の１個のアンテナ部を設け、その１個のアンテナ部を通じたＦＭ放送信号を分配器を用いて２個のチューナ部に分配するようにし、２個のチューナ部のうちの一方によって道路交通情報を含んだＦＭ多重放送信号を受信して、２個のチューナ部のうちの他方によって他の放送局からのＦＭ放送信号あるいはＦＭ多重放送信号を受信するようになすことも考えられるが、斯かる場合には、２個のチューナ部間で不所望な相互の“回り込み”が生じてしまう。即ち、例え、２個のチューナ部のうちの一方における局部発振信号が、分配器を通じて２個のチューナ部のうちの他方に回り込み、２個のチューナ部のうちの他方における信号処理に悪影響を及ぼし、また、２個のチューナ部のうちの他方における局部発振信号が、分配器を通じて２個のチューナ部のうちの一方に回り込み、２個のチューナ部のうちの一方における信号処理に悪影響を及ぼすことになってしまうのである。
【００１０】
斯かる点に鑑み、本発明は、複数のアンテナ部が設けられ、それらのうちの選択されたものを通じた搬送情報信号を選択受信する、空間ダイバーシティ方式の受信動作を行うことができるものであって、比較的簡単な構成を有し、大なる工数と費用とを要することなく、所定の放送局からのＦＭ放送信号あるいはＦＭ多重放送信号に基づく音声情報と、他の放送局からのＦＭ多重放送信号に基づく道路交通情報等の情報とが得られる状態を、容易に得ることができる情報信号受信装置を提供する。
【００１１】
【課題を解決するための手段】
本発明に係る情報信号受信装置は、第１及び第２のアンテナ部が配されたもとにおいて、第１及び第２のアンテナ部のいずれかを通じた搬送情報信号を選択受信するとともに、選択受信された搬送情報信号に所定の信号処理を施して第１の再生情報信号を得る第１の信号再生系と、第１及び第２のアンテナ部のいずれかを通じた搬送情報信号を選択受信するとともに、選択受信された搬送情報信号に所定の信号処理を施して第２の再生情報信号を得る第２の信号再生系とが備えられ、さらに、第１の信号再生系により選択受信される搬送情報信号と第２の信号再生系により選択受信される搬送情報信号とが異なるとき、第１のアンテナ部が第１の信号再生系に接続されるとともに第２のアンテナ部が第２の信号再生系に接続されて、第１及び第２の信号再生系から夫々得られる第１及び第２の再生情報信号に基づく情報再生が個別に行われる第１の状態、もしくは、第１のアンテナ部が第２の信号再生系に接続されるとともに第２のアンテナ部が第１の信号再生系に接続されて、第１及び第２の信号再生系から夫々得られる第１及び第２の再生情報信号に基づく情報再生が個別に行われる第２の状態となし、また、第１の信号再生系により選択受信される搬送情報信号と第２の信号再生系により選択受信される搬送情報信号とが同じであるとき、第１のアンテナ部が第１及び第２の信号再生系の両者に接続されて、第１及び第２の信号再生系から夫々得られる第１及び第２の再生情報信号に基づく情報再生が個別に行われる第３の状態、もしくは、第２のアンテナ部が第１及び第２の信号再生系の両者に接続されて、第１及び第２の信号再生系から夫々得られる第１及び第２の再生情報信号に基づく情報再生が個別に行われる第４の状態となすとともに、第１及び第２の状態のうちの一方から他方への切換制御、あるいは、第３及び第４の状態のうちの一方から他方への切換制御を、第１の信号再生系もしくは第２の信号再生系により選択受信された搬送情報信号が所定のレベル変化を生じたとき行うアンテナ切換制御部が設けられて構成される。
【００１２】
上述の如くに構成される本発明に係る情報信号受信装置においては、アンテナ切換制御部による制御のもとに、第１のアンテナ部が第１の信号再生系に接続されるとともに第２のアンテナ部が第２の信号再生系に接続される状態と第１のアンテナ部が第２の信号再生系に接続されるとともに第２のアンテナ部が第１の信号再生系に接続される状態とが選択的にとられる第１の動作状態、もしくは、第１のアンテナ部が第１及び第２の信号再生系の両者に共通に接続される状態と第２のアンテナ部が第１及び第２の信号再生系の両者に共通に接続される状態とが選択的にとられる第２の動作状態が設定される。第１のアンテナ部の第１の信号再生系もしくは第２の信号再生系との接続状態の制御、及び、第２のアンテナ部の第１の信号再生系もしくは第２の信号再生系との接続状態の制御は、具体的には、例えば、第１及び第２のアンテナ部を選択的に第１の信号再生系に接続する第１の選択スイッチと、第１及び第２のアンテナ部を選択的に第２の信号再生系に接続する第２の選択スイッチとが、アンテナ切換制御部によって切換制御されることによって行われる。
【００１３】
第１の動作状態は、第１の信号再生系により選択受信される搬送情報信号と第２の信号再生系により選択受信される搬送情報信号とが、例えば、異なる放送局から夫々送信されるものである場合のように、相互に異なるときとられる。そして、第１のアンテナ部が第１の信号再生系に接続されるとともに第２のアンテナ部が第２の信号再生系に接続される状態から第１のアンテナ部が第２の信号再生系に接続されるとともに第２のアンテナ部が第１の信号再生系に接続される状態への切換え、及び、その逆の切換えが、第１の信号再生系もしくは第２の信号再生系により選択受信された搬送情報信号が所定のレベル変化を生じたとき行われる。
【００１４】
斯かる第１の動作状態にあっては、第１及び第２のアンテナ部が用いられた空間ダイバーシティ方式の受信動作が行われるもとで、例えば、所定の放送局からの搬送情報信号であるＦＭ放送信号あるいは道路交通情報を含んだＦＭ多重放送信号が、第１の信号再生系により選択受信されるとともに所定の信号処理が施されるものとされて、第１の信号再生系から音声情報をあらわす再生情報信号が得られ、さらに、それに加えて、他の放送局からの搬送情報信号である道路交通情報を含んだＦＭ多重放送信号が、第２の信号再生系により選択受信されるとともに所定の信号処理が施されるものとされて、第２の信号再生系から道路交通情報をあらわす再生情報信号が得られる。
【００１５】
また、第２の動作状態は、第１の信号再生系により選択受信される搬送情報信号と第２の信号再生系により選択受信される搬送情報信号とが、例えば、同一の放送局から送信されるものである場合のように、同じであるときとられる。そして、第１のアンテナ部が第１及び第２の信号再生系の両者に接続される状態から第２のアンテナ部が第１及び第２の信号再生系の両者に接続される状態への切換え、及び、その逆の切換えが、第１の信号再生系もしくは第２の信号再生系における搬送情報信号の受信状態に応じて、例えば、第１の信号再生系もしくは第２の信号再生系において選択受信された搬送情報信号が所定のレベル変化を生じたとき行われる。
【００１６】
斯かる第２の動作状態にあっては、第１及び第２のアンテナ部が用いられた空間ダイバーシティ方式の受信動作が行われるもとで、例えば、所定の放送局からの搬送情報信号である道路交通情報を含んだＦＭ多重放送信号が、第１及び第２の信号再生系の夫々により選択受信されるとともに所定の信号処理が施されるものとされて、第１の信号再生系から、受信されたＦＭ多重放送信号に道路交通情報と共に含まれた音声情報をあらわす再生情報信号が得られるとともに、第２の信号再生系から、受信されたＦＭ多重放送信号に含まれた道路交通情報をあらわす再生情報信号が得られる。
【００１７】
このような本発明に係る情報信号受信装置においては、第１及び第２のアンテナ部のうちの選択されたものを通じた搬送情報信号が選択受信される、空間ダイバーシティ方式の受信動作が行われるもとで、比較的簡単な構成がとられて、大なる工数と費用とが要されることなく、例えば、所定の放送局からのＦＭ放送信号あるいはＦＭ多重放送信号に基づく音声情報が得られるとき、他の放送局からのＦＭ多重放送信号に基づいて得られる道路交通情報等の情報も得られる状態、さらには、所定の放送局からのＦＭ多重放送信号に基づく音声情報と道路交通情報等の情報とが得られる状態が容易に実現される。
【００１８】
【発明の実施の形態】
図１は、本発明に係る情報信号受信装置の一例を示し、この例は、車両に装備されるＦＭ信号受信装置を構成している。
【００１９】
図１に示されるＦＭ信号受信装置を構成する例にあっては、アンテナ部１１及び１２の夫々に、複数の放送局から夫々送信された複数の搬送情報信号である、複数のＦＭ多重放送信号あるいはＦＭステレオ放送信号が到来するもとで、それらのうちのアンテナ部１１を通じて選択受信されるものが搬送情報信号ＳＲ１とされるとともにアンテナ部１２を通じて選択受信されるものが搬送情報信号ＳＲ２とされる。
【００２０】
搬送情報信号ＳＲ１及びＳＲ２の夫々は、それがＦＭ多重放送信号である場合には、例えば、８０〜９０ＭＨｚの周波数帯域中の周波数を有した主搬送波信号が、図２のスペクトラム（横軸：周波数ｆｍ，縦軸：主搬送波信号周波数偏移ｆｄ）に示される如くの、主音声信号Ｌ＋Ｒ，パイロット信号ＳＰ，副音声信号Ｌ−Ｒ、及び、周波数を７６ｋＨｚとする副搬送波信号に関して道路交通情報をあらわすディジタルデータによるＰＳＫ変調が施されて得られる副搬送ディジタル信号ＤＴを含む複合変調信号によって、周波数変調されることにより形成されており、また、それがＦＭステレオ放送信号である場合には、例えば、８０〜９０ＭＨｚの周波数帯域中の周波数を有した主搬送波信号が、図２のスペクトラムに示される主音声信号Ｌ＋Ｒ，パイロット信号ＳＰ，副音声信号Ｌ−Ｒ及び副搬送ディジタル信号ＤＴのうちの副搬送ディジタル信号ＤＴを除いた、主音声信号Ｌ＋Ｒ，パイロット信号ＳＰ及び副音声信号Ｌ−Ｒを含む変調信号によって、周波数変調されることにより形成されている。
【００２１】
主音声信号Ｌ＋Ｒは、ステレオ音声信号における左信号Ｌと右信号Ｒとの和とされる信号であり、また、副音声信号Ｌ−Ｒは、周波数を３８ｋＨｚとする副搬送波信号をステレオ音声信号における左信号Ｌと右信号Ｒとの差とされる信号で振幅変調するとともに搬送波信号成分を除去して得られる信号である。さらに、パイロット信号ＳＰは、周波数を１９ｋＨｚとする搬送波信号である。
【００２２】
アンテナ部１１は、選択スイッチ１３の選択接点１３ａと選択スイッチ１４の選択接点１４ａとに接続されており、また、アンテナ部１２は、選択スイッチ１３の選択接点１３ｂと選択スイッチ１４の選択接点１４ｂとに接続されている。選択スイッチ１３及び１４は、制御信号形成部１５と共に、アンテナ切換制御部を形成しており、制御信号形成部１５は、スイッチ制御信号ＣＷ１及びＣＷ２を形成して、スイッチ制御信号ＣＷ１を選択スイッチ１３に供給するとともにスイッチ制御信号ＣＷ２を選択スイッチ１４に供給する。
【００２３】
制御信号形成部１５から選択スイッチ１３及び１４に夫々供給されるスイッチ制御信号ＣＷ１及びＣＷ２の各々は、高レベルと低レベルとを選択的にとるものとされる。そして、選択スイッチ１３は、スイッチ制御信号ＣＷ１が高レベルをとるとき、選択接点１３ａが可動接点１３ｃに接続されて、アンテナ部１１をチューナ部１６に接続する状態とされ、また、スイッチ制御信号ＣＷ１が低レベルをとるとき、選択接点１３ｂが可動接点１３ｃに接続されて、アンテナ部１２をチューナ部１６に接続する状態とされる。同様にして、選択スイッチ１４は、スイッチ制御信号ＣＷ２が高レベルをとるとき、選択接点１４ａが可動接点１４ｃに接続されて、アンテナ部１１をチューナ部１７に接続する状態とされ、また、スイッチ制御信号ＣＷ２が低レベルをとるとき、選択接点１４ｂが可動接点１４ｃに接続されて、アンテナ部１２をチューナ部１７に接続する状態とされる。
【００２４】
それにより、アンテナ部１１を通じた搬送情報信号ＳＲ１及びアンテナ部１２を通じた搬送情報信号ＳＲ２は、選択スイッチ１３を通じて選択的にチューナ部１６に供給されるとともに、選択スイッチ１４を選択的に通じて選択的にチューナ部１７に供給される。チューナ部１６は、制御ユニット２０から制御信号ＣＴ１が供給される選局制御部１８からの選局信号ＳＴ１に応じて、受信すべき搬送波情報信号を送信する放送局の選択、即ち、選局を行い、また、チューナ部１７は、制御ユニット２０から制御信号ＣＴ２が供給される選局制御部１９からの選局信号ＳＴ２に応じて、受信すべき搬送波情報信号を送信する放送局の選択、即ち、選局を行う。
【００２５】
チューナ部１６において選局されるべき放送局は、制御ユニット２０に接続された操作部２１が操作されることによって設定され、操作部２１からチューナ部１６において選局されるべき放送局を指示する選局指令信号Ｑ１が制御ユニット２０に供給される。そして、制御ユニット２０は、選局指令信号Ｑ１に応じた制御信号ＣＴ１を選局制御部１８に供給し、選局制御部１８が、制御信号ＣＴ１に応じて、選局指令信号Ｑ１に対応した選局信号ＳＴ１をチューナ部１６に供給し、それによって、チューナ部１６により、選局指令信号Ｑ１によって指示された放送局が選局される。また、チューナ部１７において選局されるべき放送局は、制御ユニット２０に接続された操作部２２が操作されることによって設定され、操作部２２からチューナ部１７において選局されるべき放送局を指示する選局指令信号Ｑ２が制御ユニット２０に供給される。そして、制御ユニット２０は、選局指令信号Ｑ２に応じた制御信号ＣＴ２を選局制御部１９に供給し、選局制御部１９が、制御信号ＣＴ２に応じて、選局指令信号Ｑ２に対応した選局信号ＳＴ２をチューナ部１７に供給し、それによって、チューナ部１７により、選局指令信号Ｑ２によって指示された放送局が選局される。
【００２６】
このようなもとで、チューナ部１６にあっては、選局信号ＳＴ１に応じて選局された放送局から送信されてアンテナ部１１及び選択スイッチ１３を通じた搬送情報信号ＳＲ１、もしくは、選局信号ＳＴ１に応じて選局された放送局から送信されてアンテナ部１２及び選択スイッチ１３を通じた搬送情報信号ＳＲ２が選択受信される。また、チューナ部１７にあっては、選局信号ＳＴ２に応じて選局された放送局から送信されてアンテナ部１２及び選択スイッチ１４を通じた搬送情報信号ＳＲ２、もしくは、選局信号ＳＴ２に応じて選局された放送局から送信されてアンテナ部１１及び選択スイッチ１４を通じた搬送情報信号ＳＲ１が選択受信される。即ち、選局制御部１７及び１８，制御ユニット２０、及び、操作部２１及び２２は、搬送情報信号ＳＲ１及び搬送情報信号ＳＲ２のいずれかをチューナ部１６により選択受信させるとともに、搬送情報信号ＳＲ１及び搬送情報信号ＳＲ２のいずれかをチューナ部１７により選択受信させる情報信号選択制御手段を構成しているのである。
【００２７】
チューナ部１６においては、選択受信された搬送情報信号ＳＲ１もしくは搬送情報信号ＳＲ２が、増幅されるとともに低周波数域側への周波数変換が施されるものとされ、中間周波信号ＳＩ１に変換される。そして、チューナ部１６から得られる中間周波信号ＳＩ１が中間周波増幅部２５を経て、復調部２６に供給される。復調部２６においては、中間周波信号ＳＩ１についての周波数復調が行われて、復調出力信号ＳＤ１が得られる。復調出力信号ＳＤ１は、低域通過フィルタ（ＬＰＦ）２７，帯域通過フィルタ（ＢＰＦ）２８及び１９ｋＨｚフィルタ２９の夫々に供給される。
【００２８】
ＬＰＦ２７からは、復調出力信号ＳＤ１中の主音声信号Ｌ＋Ｒが取り出されて得られ、また、ＢＰＦ２８からは、復調出力信号ＳＤ１中の副音声信号Ｌ−Ｒが取り出されて得られて、主音声信号Ｌ＋Ｒ及び副音声信号Ｌ−Ｒがマトリックス部３０に供給される。さらに、１９ｋＨｚフィルタ２９からは、復調出力信号ＳＤ１中のパイロット信号ＳＰが取り出されて得られて、周波数逓倍部３１に供給される。周波数逓倍部３１においては、パイロット信号ＳＰに対してその周波数（１９ｋＨｚ）を２倍にする周波数逓倍が施され、それにより周波数を３８ｋＨｚとする再生搬送波信号ＳＰＤが得られて、それがマトリックス部３０に供給される。
【００２９】
マトリックス部３０においては、再生搬送波信号ＳＰＤに応じた制御のもとに、主音声信号Ｌ＋Ｒと副音声信号Ｌ−Ｒとに対するマトリックス処理が行われ、マトリックス部３０から、再生されたステレオ音声信号における左信号Ｌと右信号Ｒとの夫々が独立して得られる。マトリックス部３０からの左信号Ｌは、ディエンファシス部３２によるディエンファシス処理を受けて出力左信号ＬＯとされた後、出力増幅部３３により電力増幅されて左スピーカ部３４に供給される。また、マトリックス部３０からの右信号Ｒは、ディエンファシス部３５によるディエンファシス処理を受けて出力右信号ＲＯとされた後、出力増幅部３６により電力増幅されて右スピーカ部３７に供給される。それにより、左スピーカ部３４において出力左信号ＬＯに基づく音声再生が行われるとともに、右スピーカ部３７において出力右信号ＲＯに基づく音声再生が行われて、左スピーカ部３４及び右スピーカ部３７から夫々発せられる左音声及び右音声によるステレオ音場が形成される。
【００３０】
このようなもとで、チューナ部１６，選局制御部１８、及び、中間周波増幅部２５から出力増幅部３３及び３６に至る回路系を含む部分が、アンテナ部１１を通じた搬送情報信号ＳＲ１及びアンテナ部１２を通じた搬送情報信号ＳＲ２のいずれかを選択受信するとともに、選択受信された搬送情報信号ＳＲ１もしくは搬送情報信号ＳＲ２に所定の信号処理を施して第１の再生情報信号である出力左信号ＬＯ及び出力右信号ＲＯを得る第１の信号再生系を形成している。
【００３１】
一方、チューナ部１７においては、選択受信された搬送情報信号ＳＲ２もしくは搬送情報信号ＳＲ１が、増幅されるとともに低周波数域側への周波数変換が施されるものとされ、中間周波信号ＳＩ２に変換される。そして、チューナ部１７から得られる中間周波信号ＳＩ２が中間周波増幅部４０を経て、復調部４１に供給される。復調部４１においては、中間周波信号ＳＩ２についての周波数復調が行われて、復調出力信号ＳＤ２が得られる。復調出力信号ＳＤ２は、ＢＰＦ４２に供給される。
【００３２】
ＢＰＦ４２からは、復調出力信号ＳＤ２中の副搬送ディジタル信号ＤＴが取り出されて得られ、デコーダ部４３に供給される。デコーダ部４３においては、副搬送ディジタル信号ＤＴに関してのＰＳＫ復調及びディジタル処理が施され、道路交通情報をあらわすディジタルデータＴＩが得られる。そして、デコーダ部４３からのディジタルデータＴＩが、表示信号形成部４３に供給され、表示信号形成部４３において、ディジタルデータＴＩに対応した表示信号ＤＴＩが形成されて、その表示信号ＤＴＩが表示部４５に供給される。それにより、表示部４５において、表示信号ＤＴＩに基づいた文字、もしくは、文字と図形とをもって、ディジタルデータＴＩがあらわす道路交通情報が表示される。
【００３３】
デコーダ部４３から得られるディジタルデータＴＩは、必要に応じて、車両に搭載されたナビゲーション装置５０に供給され、ナビゲーション装置５０での利用に供される。
【００３４】
なお、デコーダ部４３からディジタルデータＴＩが得られて、表示部４５において道路交通情報が表示されるのは、チューナ部１７により選択受信された搬送情報信号ＳＲ２もしくは搬送情報信号ＳＲ１がＦＭ多重放送信号である場合においてであり、チューナ部１７により選択受信された搬送情報信号ＳＲ２もしくは搬送情報信号ＳＲ１がＦＭステレオ放送信号である場合には、表示部４５における道路交通情報の表示はなされない。
【００３５】
このようなもとで、チューナ部１７，選局制御部１９、及び、中間周波増幅部４０からデコーダ部４３に至る回路系を含む部分が、アンテナ部１１を通じた搬送情報信号ＳＲ１及びアンテナ部１２を通じた搬送情報信号ＳＲ２のいずれかを選択受信するとともに、選択受信された搬送情報信号ＳＲ１もしくは搬送情報信号ＳＲ２に所定の信号処理を施して第２の再生情報信号であるディジタルデータＴＩを得る第２の信号再生系を形成している。
【００３６】
上述の如くの動作が行われるとき、チューナ部１６から得られる中間周波信号ＳＩ１がレベル変化検出部３８に供給される。レベル変化検出部３８においては、チューナ部１６からの中間周波信号ＳＩ１における所定のレベル変化、具体的には、中間周波信号ＳＩ１における急激なレベル低下、例えば、中間周波信号ＳＩ１のレベルの予め設定された値以下となる急激な低下が検出され、その中間周波信号ＳＩ１における所定のレベル変化が検出される毎に、低レベルから高レベルに移行するとともにその後高レベルを維持する状態、及び、高レベルから低レベルに移行するとともにその後低レベルを維持する状態を交互にとる検出出力信号ＬＤが形成される。そして、レベル変化検出部３８から得られる検出出力信号ＬＤが、制御信号形成部１５に供給される。
【００３７】
制御信号形成部１５には、レベル変化検出部３８からの検出出力信号ＬＤに加えて、制御ユニット２０から送出される制御信号ＣＸも供給される。制御信号ＣＸを送出する制御ユニット２０は、操作部２１からの選局指令信号Ｑ１及び操作部２２からの選局指令信号Ｑ２を受け、選局指令信号Ｑ１によって指示される放送局と選局指令信号Ｑ２によって指示される放送局とが相互に異なるとき、制御信号ＣＸを低レベルをとるものとして形成し、また、選局指令信号Ｑ１によって指示される放送局と選局指令信号Ｑ２によって指示される放送局とが同じであるとき、制御信号ＣＸを高レベルをとるものとして形成する。従って、制御信号形成部１５には、チューナ部１６において選択受信される搬送情報信号ＳＲ１もしくは搬送情報信号ＳＲ２と、チューナ部１７において選択受信される搬送情報信号ＳＲ２もしくは搬送情報信号ＳＲ１とが、異なる二つの放送局から夫々送信された相互に異なるものとされるべきとき、低レベルをとる制御信号ＣＸが供給され、チューナ部１６において選択受信される搬送情報信号ＳＲ１もしくは搬送情報信号ＳＲ２と、チューナ部１７において選択受信される搬送情報信号ＳＲ２もしくは搬送情報信号ＳＲ１とが、一つの放送局から送信された同じものとされるべきとき、高レベルをとる制御信号ＣＸが供給される。
【００３８】
そして、制御信号形成部１５は、制御ユニット２０からの制御信号ＣＸが低レベルをとるもとでは、レベル変化検出部３８からの検出出力信号ＬＤが低レベルをとるとき、高レベルをとるスイッチ制御信号ＣＷ１を選択スイッチ１３に供給するとともに、低レベルをとるスイッチ制御信号ＣＷ２を選択スイッチ１４に供給し、また、レベル変化検出部３８からの検出出力信号ＬＤが高レベルをとるとき、低レベルをとるスイッチ制御信号ＣＷ１を選択スイッチ１３に供給するとともに、高レベルをとるスイッチ制御信号ＣＷ２を選択スイッチ１４に供給する。
【００３９】
その結果、チューナ部１６において選択受信される搬送情報信号ＳＲ１もしくは搬送情報信号ＳＲ２と、チューナ部１７において選択受信される搬送情報信号ＳＲ２もしくは搬送情報信号ＳＲ１とが、異なる二つの放送局から夫々送信された相互に異なるものとされるべきときにおいては、レベル変化検出部３８からの検出出力信号ＬＤが低レベルをとるとき、選択スイッチ１３が、選択接点１３ａに可動接点１３ｃが接続されて、アンテナ部１１をチューナ部１６に接続する状態におかれるとともに、選択スイッチ１４が、選択接点１４ｂに可動接点１４ｃが接続されて、アンテナ部１２をチューナ部１７に接続する状態におかれ、また、レベル変化検出部３８からの検出出力信号ＬＤが高レベルをとるとき、選択スイッチ１３が、選択接点１３ｂに可動接点１３ｃが接続されて、アンテナ部１２をチューナ部１６に接続する状態におかれるとともに、選択スイッチ１４が、選択接点１４ａに可動接点１４ｃが接続されて、アンテナ部１１をチューナ部１７に接続する状態におかれる。そして、斯かるもとで、アンテナ部１１及び１２が用いられたもとでの空間ダイバーシティ方式の受信動作が行われる。
【００４０】
一方、制御信号形成部１５は、制御ユニット２０からの制御信号ＣＸが高レベルをとるもとでは、レベル変化検出部３８からの検出出力信号ＬＤが低レベルをとるとき、高レベルをとるスイッチ制御信号ＣＷ１を選択スイッチ１３に供給するとともに、高レベルをとるスイッチ制御信号ＣＷ２を選択スイッチ１４に供給し、また、レベル変化検出部３８からの検出出力信号ＬＤが高レベルをとるとき、低レベルをとるスイッチ制御信号ＣＷ１を選択スイッチ１３に供給するとともに、低レベルをとるスイッチ制御信号ＣＷ２を選択スイッチ１４に供給する。
【００４１】
その結果、チューナ部１６において選択受信される搬送情報信号ＳＲ１もしくは搬送情報信号ＳＲ２と、チューナ部１７において選択受信される搬送情報信号ＳＲ２もしくは搬送情報信号ＳＲ１とが、一つの放送局から夫々送信された同じものとされるべきときにおいては、レベル変化検出部３８からの検出出力信号ＬＤが低レベルをとるとき、選択スイッチ１３が、選択接点１３ａに可動接点１３ｃが接続されて、アンテナ部１１をチューナ部１６に接続する状態におかれるとともに、選択スイッチ１４が、選択接点１４ａに可動接点１４ｃが接続されて、アンテナ部１１をチューナ部１７に接続する状態におかれ、また、レベル変化検出部３８からの検出出力信号ＬＤが高レベルをとるとき、選択スイッチ１３が、選択接点１３ｂに可動接点１３ｃが接続されて、アンテナ部１２をチューナ部１６に接続する状態におかれるとともに、選択スイッチ１４が、選択接点１４ｂに可動接点１４ｃが接続されて、アンテナ部１２をチューナ部１７に接続する状態におかれる。そして、斯かるもとで、アンテナ部１１及び１２が用いられたもとでの空間ダイバーシティ方式の受信動作が行われる。
【００４２】
なお、図１に示されるＦＭ信号受信装置を構成する例においては、チューナ部１６から得られる中間周波信号ＳＩ１がレベル変化検出部３８に供給されているが、チューナ部１６から得られる中間周波信号ＳＩ１に代えて、チューナ部１７から得られる中間周波信号ＳＩ２がレベル変化検出部３８に供給されるようになされてもよい。その際には、レベル変化検出部３８においては、チューナ部１７からの中間周波信号ＳＩ２における所定のレベル変化、具体的には、中間周波信号ＳＩ２における急激なレベル低下、例えば、中間周波信号ＳＩ２のレベルの予め設定された値以下となる急激な低下が検出され、その中間周波信号ＳＩ２における所定のレベル変化が検出される毎に、高レベルから低レベルに移行するとともにその後低レベルを維持する状態、及び、低レベルから高レベルに移行するとともにその後高レベルを維持する状態を交互にとる検出出力信号ＬＤが形成される。そして、そのレベル変化検出部３８から得られる検出出力信号ＬＤが、制御信号形成部１５に供給される。
【００４３】
図３は、図１に示されるＦＭ信号受信装置を構成する例における制御信号形成部１５の具体構成例を示す。この図３に示される制御信号形成部１５の具体構成例にあっては、端子５１にレベル変化検出部３８からの検出出力信号ＬＤが供給されるとともに、端子５２に制御ユニット２０からの制御信号ＣＸが供給され、端子５３及び端子５４に夫々スイッチ制御信号ＣＷ１及びＣＷ２が得られる。
【００４４】
端子５１と端子５４との間にレベル・インバータ５５と直列に接続されたゲート５６は、端子５２に供給される制御信号ＣＸが供給されて制御され、制御信号ＣＸが高レベルをとるときオン状態とされ、また、制御信号ＣＸが低レベルをとるときオフ状態とされる。また、端子５１と端子５４との間に接続されたゲート５７は、端子５２に供給される制御信号ＣＸがレベル・インバータ５８によりレベル反転されて供給され、それにより制御されて、制御信号ＣＸが高レベルをとるときオフ状態とされ、また、制御信号ＣＸが低レベルをとるときオン状態とされる。
【００４５】
斯かるもとで、端子５２に供給される制御ユニット２０からの制御信号ＣＸが低レベルをとるもとでは、ゲート５６がオフ状態とされるとともにゲート５７がオン状態とされる。そして、端子５１に供給されるレベル変化検出部３８からの検出出力信号ＬＤが低レベルをとるとき、その検出出力信号ＬＤがレベル・インバータ５５によりレベル反転されて高レベルをとるものとされ、端子５３に高レベルをとるスイッチ制御信号ＣＷ１として導出される。さらに、このとき、端子５１に供給される低レベルをとる検出出力信号ＬＤが、ゲート５７を通じて、端子５４に低レベルをとるスイッチ制御信号ＣＷ２として導出される。
【００４６】
また、端子５１に供給されるレベル変化検出部３８からの検出出力信号ＬＤが高レベルをとるとき、その検出出力信号ＬＤがレベル・インバータ５５によりレベル反転されて低レベルをとるものとされ、端子５３に低レベルをとるスイッチ制御信号ＣＷ１として導出される。さらに、このとき、端子５１に供給される高レベルをとる検出出力信号ＬＤが、ゲート５７を通じて、端子５４に高レベルをとるスイッチ制御信号ＣＷ２として導出される。
【００４７】
一方、端子５２に供給される制御ユニット２０からの制御信号ＣＸが高レベルをとるもとでは、ゲート５６がオン状態とされるとともにゲート５７がオフ状態とされる。そして、端子５１に供給されるレベル変化検出部３８からの検出出力信号ＬＤが低レベルをとるとき、その検出出力信号ＬＤがレベル・インバータ５５によりレベル反転されて高レベルをとるものとされ、端子５３に高レベルをとるスイッチ制御信号ＣＷ１として導出されるとともに、ゲート５６を通じて、端子５４に高レベルをとるスイッチ制御信号ＣＷ２として導出される。
【００４８】
また、端子５１に供給されるレベル変化検出部３８からの検出出力信号ＬＤが高レベルをとるとき、その検出出力信号ＬＤがレベル・インバータ５５によりレベル反転されて低レベルをとるものとされ、端子５３に低レベルをとるスイッチ制御信号ＣＷ１として導出されるとともに、ゲート５６を通じて、端子５４に低レベルをとるスイッチ制御信号ＣＷ２として導出される。
【００４９】
上述の如くに、図１に示されるＦＭ信号受信装置を構成する例においては、選択スイッチ１３及び１４と制御信号形成部１５とにより形成されるアンテナ切換制御部による制御のもとに、チューナ部１６を含む第１の信号再生系により選択受信されるとともに信号処理が施される搬送情報信号と、チューナ部１７を含む第２の信号再生系により選択受信されるとともに信号処理が施される搬送情報信号とが、異なる放送局から夫々送信される相互に異なるものとされるとき、アンテナ部１１が第１の信号再生系に接続されるとともにアンテナ部１２が第２の信号再生系に接続される状態と、アンテナ部１１が第２の信号再生系に接続されるとともにアンテナ部１２が第１の信号再生系に接続される状態とが選択的にとられる第１の動作状態が設定され、また、チューナ部１６を含む第１の信号再生系により選択受信されるとともに所定の信号処理が施される搬送情報信号と、チューナ部１７を含む第２の信号再生系により選択受信されるとともに所定の信号処理が施される搬送情報信号とが、一つの放送局から送信される同じものとされるとき、アンテナ部１１が第１の信号再生系と第２の信号再生系との両者に共通に接続される状態と、アンテナ部１２が第１の信号再生系と第２の信号再生系との両者に共通に接続される状態とが選択的にとられる第２の動作状態が設定される。
【００５０】
そして、第１の動作状態のもとで、アンテナ部１１が第１の信号再生系に接続されるとともにアンテナ部１２が第２の信号再生系に接続される状態から、アンテナ部１１が第２の信号再生系に接続されるとともにアンテナ部１２が第１の信号再生系に接続される状態への切換え、及び、その逆の切換えが、第１の信号再生系もしくは第２の信号再生系における搬送情報信号の受信状態に応じて、例えば、第１の信号再生系もしくは第２の信号再生系において選択受信された搬送情報信号が所定のレベル変化を生じたとき行われる。即ち、アンテナ部１１及び１２が用いられた空間ダイバーシティ方式の受信動作が行われるのである。
【００５１】
また、第２の動作状態のもとで、アンテナ部１１が第１の信号再生系及び第２の信号再生系の両者に接続される状態から、アンテナ部１２が第１の信号再生系及び第２の信号再生系の両者に接続される状態への切換え、及び、その逆の切換えが、第１の信号再生系もしくは第２の信号再生系における搬送情報信号の受信状態に応じて、例えば、第１の信号再生系もしくは第２の信号再生系において選択受信された搬送情報信号が所定のレベル変化を生じたとき行われる。即ち、斯かる状態のもとにおいても、アンテナ部１１及び１２が用いられた空間ダイバーシティ方式の受信動作が行われるのである。
【００５２】
【発明の効果】
以上の説明から明らかな如く、本発明に係る情報信号受信装置にあっては、第１及び第２のアンテナ部が用いられた空間ダイバーシティ方式の受信動作が行われるもとで、例えば、所定の放送局からの搬送情報信号であるＦＭ放送信号あるいは道路交通情報を含んだＦＭ多重放送信号が、第１の信号再生系により選択受信されるとともに所定の信号処理が施されるものとされて、第１の信号再生系から音声情報をあらわす再生情報信号が得られ、さらに、それに加えて、他の放送局からの搬送情報信号である道路交通情報を含んだＦＭ多重放送信号が、第２の信号再生系により選択受信されるとともに所定の信号処理が施されるものとされて、第２の信号再生系から道路交通情報をあらわす再生情報信号が得られる状態と、例えば、所定の放送局からの搬送情報信号である道路交通情報を含んだＦＭ多重放送信号が、第１及び第２の信号再生系の夫々により選択受信されるとともに所定の信号処理が施されるものとされて、第１の信号再生系から、受信されたＦＭ多重放送信号に道路交通情報と共に含まれた音声情報をあらわす再生情報信号が得られるとともに、第２の信号再生系から、受信されたＦＭ多重放送信号に含まれた道路交通情報をあらわす再生情報信号が得られる状態とが、選択的にとられる。
【００５３】
従って、本発明に係る情報信号受信装置によれば、第１及び第２のアンテナ部が用いられた空間ダイバーシティ方式の受信動作が行われるもとで、比較的簡単な構成がとられて、大なる工数と費用とが要されることなく、例えば、所定の放送局からのＦＭ放送信号あるいはＦＭ多重放送信号に基づく音声情報と、それに加えて、他の放送局からのＦＭ多重放送信号に基づいて得られる道路交通情報等の情報とが得られる状態、さらには、所定の放送局からのＦＭ多重放送信号に基づく音声情報と道路交通情報等の情報とが得られる状態が、容易に実現されることになる。
【図面の簡単な説明】
【図１】本発明に係る情報信号受信装置の一例を示すブロック接続図である。
【図２】図１に示される例によって受信されるＦＭ多重放送信号の説明に供されるスペクトラム図である。
【図３】図１に示される例における制御信号形成部の具体構成例を示す回路図である。
【符号の説明】
１１，１２    アンテナ部
１３，１４    選択スイッチ
１５    制御信号形成部
１６，１７    チューナ部
１８，１９    選局制御部
２０    制御ユニット
２１，２２    操作部
２５，４０    中間周波増幅部
２６，４１    復調部
２７    ＬＰＦ
２８，４２    ＢＰＦ
２９    １９ｋＨｚフィルタ
３０    マトリックス部
３１    周波数逓倍部
３２，３５    ディエンファシス部
３３，３６    出力増幅部
３４    左スピーカ部
３７    右スピーカ部
３８    レベル変化検出部
４３    デコーダ部
４４    表示信号形成部
４５    表示部
５０    ナビゲーション装置
５５，５８    レベル・インバータ
５６，５７    ゲート
【図１】
0003541541.tif 000002
【図２】
0003541541.tif 000003
【図３】
0003541541.tif 000004